(57)【特許請求の範囲】
【請求項１】
軸筒に対しノック体の押圧操作によりインクタンクを軸方向へ前進して、その筆記先端部を軸筒の先端開口から突出させ、解除操作によりインクタンクを軸方向へ後退させるノック式筆記具において、
前記軸筒側とノック体側とが径方向へ対向する面に、どちらか一方から他方へ向け突出させるか或いはこれら軸筒側及びノック体側の両方から突出させて相互に摺接する第一の圧接手段を形成し、上記第一の圧接手段の形成部分を径方向へ弾性的に変形させる第一の屈曲手段を設けたことを特徴とするノック式筆記具。
【請求項２】
上記第一の圧接手段で軸筒側とノック体側とを部分的に接触させたことを特徴とする請求項１記載のノック式筆記具。
【請求項３】
上記ノック体に対して、軸筒側の中駒沿いに軸方向へ往復動自在で周方向へ回転自在な回転子を設け、これらノック体と回転子とが径方向へ対向する面に、どちらか一方から他方へ向け突出させるか或いはこれらの両方から突出させて相互に摺接する第二の圧接手段を形成したことを特徴とする請求項１又は２記載のノック式筆記具。
【請求項４】
上記第二の圧接手段の形成部分を径方向へ弾性的に変形させる第二の屈曲手段を設けたことを特徴とする請求項３記載のノック式筆記具。
【発明の詳細な説明】
【技術分野】
【０００１】
本発明は、例えばノック式ボールペンなどのようなノック操作により筆記先端部を出没させるノック式筆記具に関する。
詳しくは、軸筒に対しノック体の押圧操作によりインクタンクを軸方向へ前進して、その筆記先端部を軸筒の先端開口から突出させ、解除操作によりインクタンクを軸方向へ後退して、その筆記先端部を軸筒の先端開口内に没入させるノック式筆記具に関する。
【背景技術】
【０００２】
従来、この種のノック式筆記具として、軸筒内に、その軸方向へ往復動自在なノック体（操作部）と、これと対向して軸筒の内面側に設けられる中駒と、これらノック体のカム斜面や中駒のカム斜面に係合することで周方向へ回転する回転子と、この回転子を後方へ付勢する付勢部材と、回転子と連動するインクタンク（リフィール）とを備え、前記ノック体が押圧操作されることにより、回転子の突条を中駒のスライド溝に沿って軸方向へ前進させ、この突条がスライド溝から外れてから、ノック体のカム斜面沿いに滑らせて回転させ、その後のノック戻り時に該回転子の突条を中駒の係止凹部に係合させて係止状態にし、その後、再度の押圧操作により、回転子の突条を中駒の係止凹部から外して係止状態を解除し、ノック体のカム斜面沿いに滑らせて回転すると共に、中駒のスライド溝に挿入して軸方向へ後退させるものがある（例えば、特許文献１参照）。
【０００３】
しかし乍ら、このような従来のノック式筆記具によれば、解除操作で付勢部材によりインクタンクを強制的に後退させるため、このインクタンクが定位置に戻った時には後方への衝撃（以下バックショックという）が作用し、それにより筆記先端部から空気が入ってインクがインクタンクへ逆流し易いため、筆記掠れや不書きを生じることが懸念された。
特に、インクタンク内に低粘度油性インクなどのような流動抵抗が小さいインクが収容される場合には、バックショックに起因する筆記掠れや不書きが発生し易いという問題があった。
更に、後退するインクタンクが定位置に戻った時には衝撃音も発生し、一般的にノック操作で筆記先端部を確実に出没させるためには付勢力を強めに設定するため、筆記先端部の没入時に大きな衝撃音が発生し易いという問題があった。
また、軸筒内でノック体が往復動させるために、これら両者間には僅かな隙間があるものの、ノック操作でノック体が往復動する時には、その周方向の少なくとも一部分が互いに面状に摺接して摺動音が発生し、このノック体に対して回転子が回転した時には、これらノック体と回転子と中駒との間で弾き音や衝突音などが発生する。
これらの音を総称してノック音と呼んでいるが、従来のノック音は、「カチッ」「カチッ」という乾いた甲高い音で響き易く、しかも操作性を良くするためにノック感触も軽いことから、特別な意味もなくノック操作を連続的に繰り返してノック音を連発させるような行動が良く見受けられ、このような行動も含め軽薄なイメージがしてノック式筆記具自体を嫌う人もいた。
このような所謂ノック音は、使用者自身にとって作動状態（筆記体の出没状態）を確認する意味もあるため、決して不快なものでないが、他人にとっては不快感を感じる恐れがあり、特に会議のような周囲の雰囲気が静寂な場面では、無意味なノック操作によるノック音が、他人に不快感を与えてしまうという問題があった。
【特許文献１】特開２００４−２０９８８１号公報（第６−７頁、図１−２）
【発明の開示】
【発明が解決しようとする課題】
【０００４】
本発明は、上記従来事情に鑑みてなされたもので、その課題とするところは、簡単な構造でバックショックに起因する筆記掠れや不書きを防止すると共に衝撃音を低減するノック式筆記具を提供することにある。
【課題を解決するための手段】
【０００５】
上記課題を解決するために、第一の発明では、軸筒側とノック体側とが径方向へ対向する面に、どちらか一方から他方へ向け突出させるか或いはこれら軸筒側及びノック体側の両方から突出させて相互に摺接する第一の圧接手段を形成し、上記第一の圧接手段の形成部分を径方向へ弾性的に変形させる第一の屈曲手段を設けたことを特徴とする。
ここで、前記「軸筒側」とは、軸筒自体だけでなく、この軸筒の内側に固定配置されるインナー部品などを含み、前記「ノック体側」とは、ノック体自体だけでなく、このノック体と一緒に往復動する連動部品などを含む。
また、第二の発明では、上記第一の発明の構成に加えて、上記第一の圧接手段で軸筒側とノック体側とを部分的に接触させたことを特徴とする。
また、第三の発明では、上記第一又は第二の発明の構成に加えて、上記ノック体に対して、軸筒側の中駒沿いに軸方向へ往復動自在で周方向へ回転自在な回転子を設け、これらノック体と回転子とが径方向へ対向する面に、どちらか一方から他方へ向け突出させるか或いはこれらの両方から突出させて相互に摺接する第二の圧接手段を形成したことを特徴とする。
また、第四の発明では、上記第三の発明の構成に加えて、上記第二の圧接手段の形成部分を径方向へ弾性的に変形させる第二の屈曲手段を設けたことを特徴とするものである。
【発明の効果】
【０００６】
本発明は、上記構成により下記の作用効果を奏する。
第一の発明によれば、軸筒側とノック体側とが径方向へ対向する面に、どちらか一方から他方へ向け突出させるか或いはこれら軸筒側及びノック体側の両方から突出させて相互に摺接する第一の圧接手段を形成することにより、解除操作で軸筒側に対しノック体側を後退させても、該第一の圧接手段による摩擦抵抗でインクタンクの後退速度が遅くなってバックショックが大幅に減少し、それに伴い筆記先端部から空気が入ってインクがインクタンクへ逆流することもなくなると共に、後退するインクタンクが定位置に戻った時の衝撃音も低減される。
従って、簡単な構造でバックショックに起因する筆記掠れや不書きを防止することができると共に衝撃音を低減することができる。
よって、バックショックで筆記先端部から空気が入ってインクがインクタンクへ逆流する恐れのある従来技術と比べ、例えば低粘度油性インクなどのような流動抵抗が小さいインクであっても、筆記時に良好なインクの吐出を確保できると共に、構造が簡素であるから低コストで提供できる。
更に、筆記先端部の没入時に大きな衝撃音が発生しないため、他人に不快感を与えることがなく安心して使用できる。
そして、第一の圧接手段の形成部分を径方向へ弾性的に変形させる第一の屈曲手段を設けることにより、第一の屈曲手段の弾性変形で第一の圧接手段が軸筒側又はノック体側に対して適宜圧力で摺接する。
従って、軸筒側とノック体側との圧接力を微妙に調整できると共に当該箇所における衝撃吸収性も向上できる。
特に、第一の屈曲手段として第一の圧接手段を囲むように軸方向へ延びるすり割りを一対形成した場合には、第一の圧接手段を囲むように略コの字形又は略Ｕ字形の切り欠きを形成した場合に比べて、成形が容易でしかも衝撃に対して破損し難く、長期に亘って弾性力を維持できる。
【０００７】
第二の発明によれば、第一の圧接手段で軸筒側とノック体側とを部分的に接触させることにより、ノック操作に適度な抵抗感を持たせ、軸筒側に対しノック体側を往復動させても、両者間で発生する摺動音が軽減されると共に、ノック操作の感触がしっくりとした重厚なノック感触に変化する。
従って、簡単な構造でノック摺動音とノック操作の感触を改善することができる。
よって、高級感のあるノック式筆記具を低コストで提供できる。
特に、第一の圧接手段で軸筒側とノック体側とを部分的に面接触させた場合には、部分的に点接触させるものに比べて、軸方向への摩擦抵抗が増大するため、インクタンクの後退速度が更に遅くなってバックショックをより大幅に減少でき、それに起因する筆記掠れや不書きの防止機能が更に高められ、しかも筆記先端部から空気が更に入り難くなってインクのインクタンクへの逆流をより効果的に防止できると共に、後退するインクタンクが定位置に戻った時の衝撃音もより低減されるから衝撃音を更に低減できる。
更に、この第一の圧接手段の面接触部はその接触面積が容易に変更可能であるため、軸方向への摩擦抵抗を簡単に調整できて、所望のノック摺動音とノック操作の感触が容易に得られる。
【０００８】
【０００９】
第三の発明によれば、ノック体に対して、軸筒側の中駒沿いに軸方向へ往復動自在な回転子を設け、これらノック体と回転子とが径方向へ対向する面に、どちらか一方から他方へ向け突出させるか或いはこれらの両方から突出させて相互に摺接する第二の圧接手段を形成することにより、該第二の圧接手段の摩擦抵抗でノック体に対する回転子の回転力と軸方向への往復動が夫々制御され、ノック操作でノック体に対し回転子を回転及び往復動させても、ノック体と回転子と中駒との間で発生する弾き音や衝突音などからなるノック音が低減されて、これらノック音が乾いた甲高い音からしっくりとした重厚な音に変わると共に、前記第二の圧接手段の摩擦抵抗でノック体に対する回転子の後退速度が遅くなるため、インクタンクのバックショックが更に軽減される。
従って、回転子の回転に起因するノック音を低減化することができると共に、バックショックに起因する筆記掠れや不書きの防止機能を更に高めることができる。
よって、会議のような静寂な雰囲気で使用しても、他人に不快感を与えることがなく安心してノック操作できる。
特に、第二の圧接手段でノック体と回転子とを部分的に面接触させた場合には、部分的に点接触させるものに比べて、周方向や軸方向への摩擦抵抗が増大するため、ノック体に対する回転子の回転力と軸方向への往復動が更に制御されて、弾き音や衝突音などからなるノック音を大幅に低減化できると共に、インクタンクのバックショックが更に軽減されて、回転子の回転に起因するバックショックに起因する筆記掠れや不書きの防止機能を大幅に高めることができる。
更に、この第二の圧接手段の面接触部はその接触面積が容易に変更可能であるため、周方向や軸方向への摩擦抵抗を簡単に調整できて、所望のノック音が容易に得られる。
【００１０】
第四の発明によれば、第二の圧接手段の形成部分を径方向へ弾性的に変形させる第二の屈曲手段を設けることにより、この第二の屈曲手段の弾性変形で第二の圧接手段がノック体又は回転子に対して適宜圧力で摺接する。
従って、ノック体と回転子との圧接力を微妙に調整できると共に当該箇所における衝撃吸収性も向上できる。
【発明を実施するための最良の形態】
【００１１】
本発明のノック式筆記具Ａは、図１〜図６に示す如く、軸筒１の内部に、ノック機構として少なくともノック体２を、該軸筒１の軸方向へ往復動自在に組み込むと共に、インクタンク３と、それを後方へ付勢するスプリングなどの付勢部材４とを組み込み、ノック体２を押圧操作することで、インクタンク３を軸方向へ前進し、その筆記先端部３ａを軸筒１の先端開口１ａから突出させて、筆記可能な状態のままロックすると共に、その後の解除操作によりロック解除して、インクタンク３を軸方向へ後退して、その筆記先端部３ａを軸筒１の先端開口１ａ内に没入させるものである。
【００１２】
そして、前記軸筒１又はその内側に固定配置されるインナー部品などからなる軸筒１側と、ノック体２又はそれと一緒に往復動する連動部品などからなるノック体２側とが径方向へ対向する面には、どちらか一方から他方へ向け突出させるか、或いはこれら軸筒１側及びノック体２側の両方から突出させて相互に当接する第一の圧接手段５を形成し、この第一の圧接手段５にて軸筒１側とノック体２側とを摺接させることより、これら両者間に生ずる摩擦抵抗で、ノック操作に抵抗感を与えると共に、軸筒１側に対するノック体２の往復動速度が遅くなるようにしている。
【００１３】
本実施形態の好ましい一例によれば、前記第一の圧接手段５として点接触部５ａや面接触部５ｂを突出形成し、この点接触部５ａで軸筒１側とノック体２側とを部分的に点接触させるか、又は面接触部５ｂで部分的に面接触させることにより、ノック操作に適度な抵抗感を持たせる。
それ以外の例として、これら軸筒１側とノック体２側との間に、摩擦抵抗の高い材質からなる滑り止め部材（図示せず）を移動不能に配置することにより、軸方向への摩擦抵抗を増大させることも可能である。
更に、前記第一の圧接手段５が形成される部分を径方向へ弾性的に変形させる第一の屈曲手段５ｃを設けることが好ましい。
【００１４】
また、前記ノック機構を構成するノック体２と、このノック体２に対して軸筒１側の中駒６沿いに軸方向へ往復動自在で周方向へ回転自在な回転子７とが径方向へ対向する面には、どちらか一方から他方へ向け突出させるか、或いはこれらの両方から突出させて相互に当接する第二の圧接手段８を形成し、この第二の圧接手段８でノック体２と回転子７とを摺接させることより、これら両者間に生ずる摩擦抵抗で、ノック体２に対する回転子７の回転力と軸方向への往復動を夫々制御して、これらノック体２と回転子７と中駒６との間で発生する弾き音や衝突音などからなるノック音を改善すると共に、ノック体２に対する回転子７の後退速度が遅くなるようにしている。
【００１５】
本実施形態の好ましい一例によれば、これらノック体２と回転子７とを前記第二の圧接手段８の点接触部８ａで部分的に接触させるか、又は面接触部８ｂで部分的に面接触させることにより、ノック体２に対する回転子７の回転力と軸方向への往復動を夫々制御する。
更に、前記第二の圧接手段８が形成される部分を径方向へ弾性的に変形させる第二の屈曲手段８ｃを設けることが好ましい。
以下、本発明の各実施例を図面に基づいて説明する。
【実施例１】
【００１６】
この実施例１は、図１〜図４に示す如く、上記ノック機構として、ノック体２と対向して軸筒１側に固定配置される中駒６と、この中駒６に対して軸方向へ往復動自在でしかも周方向へ回転自在な回転子７とを備え、ノック体２の押圧操作により、中駒６に沿って回転子７を前進させてから周方向へ回転させて筆記可能な状態のまま係止し、再度の押圧操作により、係止状態を解除してから中駒６沿いに回転子７を軸方向へ後退させて、筆記先端部３ａが軸筒１の先端開口１ａ内に没入される場合を示すものである。
【００１７】
図示例では、前記軸筒１にインナー部品として、クリップ止め９を螺着などにより一体的に取り付けると共に、前記ノック体２と一緒に往復動する連動部品として、該ノック体２の後側に形成した支持部２ａと軸方向へ嵌め合う円筒状のノックキャップ１０を備え、このノックキャップ１０の外周面に上記第一の圧接手段５を、該クリップ止め９の内面９ａへ向けて突出形成することにより、この第一の圧接手段５でクリップ止め９の内面９ａと部分的に接触させ、ノック体２の押圧操作により第一の圧接手段５がクリップ止め９の内面９ａを適宜圧力で摺接するようにしている。
【００１８】
このノックキャップ１０は、後端面を閉鎖した略有底筒状に形成され、その前端側に後述するクリップ止め９の内面９ａよりも小径な拡径部１０ａを形成し、この拡径部１０ａの外周面の一部に、上記第一の圧接手段５として部分的に点接触させる点接触部５ａを突設している。
【００１９】
図示例では図２に示す如く、上記第一の圧接手段５の点接触部５ａとして断面半球状の突起を、周方向へ等間隔毎に一対形成しているが、その他の例として、この点接触部５ａを周方向へ等間隔毎に２個以上形成することも可能である。
なお、この点接触部５ａの先端部又はクリップ止め９の内面９ａのどちらか一方か或いは両方に、摩擦抵抗の高い材質からなる滑り止め部材（図示せず）を軸方向へ移動不能に接着して、軸方向への摩擦抵抗を増大させることも可能である。
【００２０】
前記ノックキャップ１０の拡径部１０ａには、各第一の圧接手段５が形成される部分を径方向へ弾性的に変形させる第一の屈曲手段５ｃとして、該第一の圧接手段５の形成部分を囲むように、例えば略コの字形又は略Ｕ字形の切り欠きを夫々形成することにより、各第一の圧接手段５の形成部分が独立して径方向へ弾性変形し易い構造になって、後述するクリップ止め９の内部に該ノックキャップ１０の拡径部１０ａを挿入し易くすると共に、該第一の圧接手段５をクリップ止め９の内面９ａに適宜圧力で摺接させるようにしている。
【００２１】
この第一の屈曲手段５ｃの他の好ましい例として、図示せぬが、第一の圧接手段５の形成部分を囲むように、軸方向へ延びるすり割りを周方向へ一対形成するか、又は径方向へ延びるすり割りを軸方向へ一対形成して、第一の圧接手段５の形成部分のみが径方向へ弾性変形し易い構造にするか、或いは軸方向へ延びるすり割りを周方向へ適宜間隔毎に複数形成するなどして、該第一の圧接手段５の形成部分を含む拡径部１０ａ全体が、径方向へ弾性変形し易い構造にすることも可能である。
【００２２】
更に、前記ノックキャップ１０の拡径部１０ａの内側には、後述するノック体２の後端支持部２ａと径方向へ対向当接するスライド部１０ｂと、該ノック体２の後端支持部２ａと軸方向へ対向当接する押圧部１０ｃを設けて、このノックキャップ１０の押圧操作により押圧部１０ｃを介してノック体２を前進させると共に、該スライド部１０ｂを介してノックキャップ１０全体をノック体２の後端支持部２ａに沿って軸方向へ往復動自在に支持している。
【００２３】
また、前記クリップ止め９は、例えばジュラコン（ＰＯＭ）又はその他の軟質合成樹脂や金属などで少なくとも内面９ａが平滑な円筒状に成形され、その後端には、前記ノックキャップ１０の拡径部１０ａと軸方向へ対向する係合段部９ｂを突出形成し、これら拡径部１０ａと係合段部９ｂを軸方向へ係合させることにより、該拡径部１０ａが係合段部８ｂに当接するまでノックキャップ１０全体を後方へ移動可能にしている。
【００２４】
そして、前記ノック体２は、円筒形に形成され、その後端側外周面に前記ノックキャップ１０のスライド部１０ｂと軸方向へ往復動自在に嵌め合う支持部２ａを形成し、また前端側外周面には、後述する中駒６のスライド部６ａと係合する回転規制部２ｂを突出形成して、中駒６のスライド部６ａに対し回転不能でしかも軸方向へ移動自在に支持されると共に、後述する中駒６のストッパー６ｃと軸方向へ係合させることにより、該回転規制部２ｂがストッパー６ｃに当接するまでノック体２全体を後方へ移動可能にしている。
【００２５】
このノック体２の内側には、後述する回転子７の挿入部７ａよりも大径な中心孔２ｃが軸方向へ貫通開穿され、該ノック体２の前端面には、後述する回転子７のカム斜面７ｃと対向するカム斜面２ｄを周方向へ山形状に連続形成している。
【００２６】
前記中駒６は、上記軸筒１の内面側において、ノック体２の回転規制部２ｂ及び後述する回転子７の係合部７ｂを軸方向へ案内するためのスライド部６ａが周方向へ複数形成され、これらスライド部６ａの前端面には、後述する回転子７のカム斜面７ｃと対向するカム斜面６ｂを周方向へ山形状に連続形成すると共に、該スライド部６ａの後端には、前記ノック体２が後方へ移動するのを阻止するストッパー６ｃが突設されている。
【００２７】
必要に応じて、このストッパー６ｃから上記ノックキャップ１０の拡径部１０ａ又はスライド部１０ｂに亘りスプリングなどの弾性部材１１を介装して、該ノックキャップ１０を常時後方へ付勢することが好ましい。
【００２８】
前記回転子７は、略円柱状に形成され、その後端側に上記ノック体２の中心孔２ｃと対向する挿入部７ａを形成し、この挿入部７ａをノック体２の中心孔２ｃ内に挿入することにより、軸方向へ往復動自在で軸方向へ回転自在に支持され、この挿入部７ａの外周面に上記第二の圧接手段８として点接触部８ａを、該ノック体２の中心孔２ｃへ向けて突出形成することにより、この第二の圧接手段８の点接触部８ａでノック体２の中心孔２ｃと部分的に接触させ、ノック体２に対する回転子７の回転力と軸方向への往復動が夫々制御されるようにしている。
【００２９】
図示例では図２に示す如く、上記第二の圧接手段８の点接触部８ａとして、周方向へ延びる断面円弧状の突起を、周方向へ等間隔毎に一対形成しているが、その他の例として、点接触部８ａを周方向へ等間隔毎に２個以上形成することも可能である。
なお、この点接触部８ａの先端部又はノック体２の中心孔２ｃのどちらか一方か或いは両方に、摩擦抵抗の高い材料からなる滑り止め部材（図示せず）を軸方向及び周方向へ移動不能に接着して、軸方向及び周方向への摩擦抵抗を増大させることも可能である。
【００３０】
また、前記回転子７の挿入部７ａの外周面には、各第二の圧接手段８が形成される部分を径方向へ弾性的に変形させる第二の屈曲手段８ｃとして、該挿入部７ａの中心に軸方向へ延びるすり割りを凹設して径方向へ弾性変形可能な構造にすることにより、前記ノック体２の中心孔２ｃ内に回転子７の挿入部７ａを挿入し易くすると共に、第二の圧接手段８を該中心孔２ｃの内周面に適宜圧力で摺接させるようにしている。
【００３１】
この第二の圧接手段８の他の好ましい例として、図示せぬが、前記回転子７の挿入部７ａの外周面又は前記ノック体２の中心孔２ｃの内周面のどちらか一方か或いは両方に、弾性変形可能な材料で環状に成形された環状弾性体を軸方向へ移動不能に挿着して、径方向へ弾性変形し易い構造にすることも可能である。
【００３２】
更に、前記回転子７の前端側には、その外周面に上記中駒６のスライド部６ａと軸方向へ移動自在に係合する係合部７ｂを周方向へ複数形成し、これら係合部７ｂの後端面には、上記ノック体２のカム斜面２ｄ及び中駒６のカム斜面６ｂと摺接するカム斜面７ｃが形成され、前端面には、後述するインクタンク３の後端側を着脱自在に保持する挿着部７ｄが凹設される。
【００３３】
一方、図示例では図１に示す如く、本発明のノック式筆記具Ａが、そのノック体２の押圧操作によりインクタンク３としてリフィールの筆記先端部３ａを、軸筒１の先端開口１ａから出没させるノック式ボールペンであり、この軸筒１の前端外周に把持部（グリップ）１ｇを挿着している。
【００３４】
更に、図示例では、上記軸筒１の外周面と上記ノックキャップ１０の後端側外周面１０ｄを覆うように装飾用カバー１ｂ，１０ｅを夫々装着しているが、これら装飾用カバー１ｂ，１０ｅを装着せずに、軸筒１の外周面やノックキャップ１０の後端側外周面１０ｄを露出させることも可能である。
【００３５】
次に、斯かるノック式筆記具Ａの動作を説明する。
先ず、図１（ａ）に示す軸筒１の先端開口１ａからインクタンク３の筆記先端部３ａが没入している時に、ノックキャップ１０を介してノック体２が押圧操作されると、ノック体２のカム斜面２ｄが回転子７のカム斜面７ｃに当接し、直接的に回転子７を押動して前進させる。
【００３６】
この際、ノック体２側であるノックキャップ１０の第一の圧接手段５が、軸筒１側であるクリップ止め９の内面９ａに沿って部分的に接触（点接触）したまま摺動するため、クリップ止め９に対するノックキャップ１０の往復動、即ちノック操作に適度な抵抗感を持たせることができる。
【００３７】
それにより、軸筒１側のクリップ止め９に対してノック体２側のノックキャップ１０を往復動させても、両者間で発生する摺動音が軽減されると共に、ノック操作の感触がしっくりとした重厚なノック感触に変化して、ノック摺動音とノック感触を改善できる。
【００３８】
また、前記ノック体２のカム斜面２ｄによる押動で、回転子７の係合部７ｂが中駒６のスライド部６ａに沿って前進し、そのままスライド部６ａから該回転子７の係合部７ｂが外れる。
この外れた瞬間に回転子７全体が開放されてフリー状態となり、それ以降の動作でこれらノック体２と回転子７と中駒６との間にノック音が発生する。
【００３９】
詳しく説明すれば、フリー状態となった回転子７のカム斜面７ｃが、ノック体２のカム斜面２ｄ沿いに摺動して回転するため、中駒６のスライド部６ａから回転子７の係合部７ｂが抜けてからカム斜面２ｄ沿いに摺動してその斜面終端凹部２ｄ′に入り込んで回転が止まるまでの間にノック音が発生する。
この場合のノック音は、回転子７のカム斜面７ｃが、中駒６のスライド部６ａの先端部を弾くこと及び又はカム斜面２ｄの斜面終端凹部２ｄ′に突き当たることで、「カチッ」と弾き音が発生すると考えられる。
【００４０】
その後、ノック体２の１回の押圧操作が終了すると、ノック体２と回転子７は付勢部材４の付勢力により後方へ戻されるため、回転子７のカム斜面７ｃが中駒６のカム斜面６ｂ沿いに摺動して更に回転し当接して係止される。
それにより図１（ｂ）に示す如く、インクタンク３の筆記先端部３ａが軸筒１の先端開口１ａから突出したまま保持される。
【００４１】
この回転子７のカム斜面７ｃが中駒６のカム斜面６ｂに当接して係止される時にも、ノック音が発生する。
この場合のノック音は、回転子７のカム斜面７ｃが中駒６のカム斜面６ｂの斜面終端凹部（図示せず）に突き当たることで、「カチッ」と衝突音が発生すると考えられる。
【００４２】
しかし、本発明のノック式筆記具Ａでは、回転子７の第二の圧接手段８が、ノック体２の中心孔２ｃ沿いに接触したまま摺動して、この第二の圧接手段８による適度な摩擦抵抗で回転子７の回転力と軸方向への往復動が夫々制御される。
【００４３】
それにより、ノック操作でノック体２に対して回転子７を回転及び往復動させても、回転子７のカム斜面７ｃが中駒６のスライド部６ａの先端部を弾くこと及び又はカム斜面２ｄの斜面終端凹部２ｄ′に突き当たることで発生する弾き音と、回転子７のカム斜面７ｃが中駒６のカム斜面６ｂの斜面終端凹部（図示せず）に突き当たることで発生する衝突音が低減されると共に、これら弾き音や衝突音などからなるノック音が乾いた甲高い音からしっくりとした重厚な音に変わって、回転子７の回転に起因するノック音が低減化される。
【００４４】
そして、その後のインクタンク３を後退させるためのノック操作では、ノック体２のカム斜面２ｄの前進により回転子７のカム斜面７ｃが中駒６のカム斜面６ｂの斜面終端凹部から抜けて、ノック体２のカム斜面２ｄ沿いに摺動して回転する時にも、フリー状態の回転子７からノック音（弾き音）が発生すると共に、これに続いて回転子７の係合部７ｂが中駒６のスライド部６ａに入る時にもノック音（衝突音）が発生する。
【００４５】
しかし、これらノック音（弾き音、衝突音）も上述したように、回転子７の第二の圧接手段８が、ノック体２の中心孔２ｃ沿いに接触したまま摺動して、この第二の圧接手段８による適度な摩擦抵抗でノック体２に対する回転子７の回転力と軸方向への往復動が夫々制御されるため、前記ノック音（弾き音、衝突音）が低減されると共に、乾いた甲高い音からしっくりとした重厚な音に変わって、回転子７の回転に起因するノック音が低減化される。
【００４６】
更に、このインクタンク３の後退時においても、ノック体２側であるノックキャップ１０の第一の圧接手段５が、軸筒１側であるクリップ止め９の内面９ａに沿って部分的に点接触したまま摺動するため、該第一の圧接手段５による摩擦抵抗でインクタンク３の後退速度が遅くなってインクタンク３に対するバックショック（後方への衝撃）が大幅に減少する。
それにより、筆記先端部３ａから空気が入ってインクがインクタンク３へ逆流せず、簡単な構造でバックショックに起因する筆記掠れや不書きを防止できる。
【００４７】
また、前記回転子７の第二の圧接手段８の摩擦抵抗でノック体２に対する回転子７の後退速度が更に遅くなるため、インクタンク３のバックショックが更に軽減されて、バックショックに起因する筆記掠れや不書きの防止機能がより高められる。
【００４８】
また更に、図１（ｂ）に示すインクタンク３の筆記先端部３ａが軸筒１の先端開口１ａから突出したまま保持される筆記可能な状態で、図示例のように中駒６とノックキャップ１０との間にスプリングなどの弾性部材１１を介装して、該ノックキャップ１０を常時後方へ付勢すれば、その拡径部１０ａがクリップ止め９の係合段部９ｂに当接するまで後退して後端側外周面１０ｄを後方へ突出させたまま保持する。
それにより、ノック体２が前進した状態でもノックキャップ１０が軸方向へガタ付くことがないという利点がある。
【実施例２】
【００４９】
この実施例２は、図５〜図６に示す如く、上記ノックキャップ１０の拡径部１０の外周面に、上記第一の圧接手段５として部分的に面接触させる面接触部５ｂを、クリップ止め９の内面９ａへ向けて突出形成すると共に、上記回転子７の挿入部７ａの外周面に上記第二の圧接手段８として面接触部８ｂを、ノック体２の中心孔２ｃへ向けて突出形成した構成が、前記図１〜図４に示した実施例１とは異なり、それ以外の構成は図１〜図４に示した実施例１と同じものである。
【００５０】
図示例の場合には、前記第一の圧接手段５の面接触部５ｂとして、軸方向へ断面台形状で表面形状が周方向へ若干長い略矩形の突起を、周方向へ等間隔毎に一対形成している。
その他の例として、この面接触部５ｂの表面形状を略円形や楕円形など矩形以外の形状としたり、該面接触部５ｂを周方向へ等間隔毎に３個以上形成するか又は略全周に亘って連続するように形成したり、その先端面又はクリップ止め９の内面９ａのどちらか一方か或いは両方に、摩擦抵抗の高い材料からなる滑り止め部材（図示せず）を軸方向へ移動不能に接着して、軸方向への摩擦抵抗を増大させることも可能である。
【００５１】
更に、この面接触部５ｂが形成される部分を径方向へ弾性的に変形させる第一の屈曲手段５ｃとして、該面接触部５ｂの形成部分を周方向へ挟むように、軸方向へ延びるすり割りを一対形成している。
その他の例として、面接触部５ｂの形成部分を囲むように、例えば略コの字形又は略Ｕ字形の切り欠きを形成することも可能である。
【００５２】
また、前記第二の圧接手段８の面接触部８ｂとして、軸方向へ断面台形状で表面形状が周方向へ長い略矩形の突起を、周方向へ等間隔毎に一対形成している。
その他の例として、この面接触部８ｂの表面形状を略楕円形など矩形以外の形状としたり、該面接触部８ｂを周方向へ等間隔毎に３個以上形成するか又は略全周に亘って連続するように形成したり、その先端面又はノック体２の中心孔２ｃのどちらか一方か或いは両方に、摩擦抵抗の高い材料からなる滑り止め部材（図示せず）を軸方向へ移動不能に接着して、軸方向への摩擦抵抗を増大させることも可能である。
【００５３】
従って、図５〜図６に示す実施例２は、上記図１〜図４に示した実施例１の第一の圧接手段５の点接触部５ａや第二の圧接手段８の点接触部８ａに比べて、軸方向や周方向への摩擦抵抗が増大するため、ノック体２に対する回転子７の回転力と軸方向への往復動が更に制御されて、弾き音や衝突音などからなるノック音を大幅に低減化できると共に、インクタンク３の後退速度が更に遅くなってバックショックをより大幅に減少でき、それに起因する筆記掠れや不書きの防止機能が更に高められ、しかも筆記先端部から空気が更に入り難くなってインクのインクタンク３への逆流をより効果的に防止でき、後退するインクタンクが定位置に戻った時の衝撃音もより低減されるから衝撃音を更に低減できるという利点がある。
【００５４】
更に、これら面接触部５ｂや面接触部８ｂの面積は容易に変更可能であるため、軸方向及び周方向への摩擦抵抗を簡単に調整できて、所望のノック摺動音や弾き音や衝突音などからなるノック音とノック操作の感触が容易に得られるという利点もある。
【００５５】
また、第一の圧接手段５の形成部分を径方向へ弾性的に変形させる第一の屈曲手段５ｃとして、該第一の圧接手段５の面接触部５ｂを径方向へ挟んで軸方向へ延びるすり割りを一対形成しているため、上記図１〜図４に示した実施例１の略コの字形又は略Ｕ字形の切り欠きに比べて、成形が容易でしかも衝撃に対して破損し難く、長期に亘って弾性力を維持できるという利点もある。
【００５６】
尚、上記実施例では、筆記可能状態において再度ノック体２を押圧操作することで、インクタンク３を軸方向へ後退させて、その筆記先端部３ａが軸筒１の先端開口１ａ内に没入する場合を示したが、本発明は、これに限定されず、例えば軸筒１の外面に設けたサイドノック部材を押圧するなどの解除操作を行うことでインクタンク３を後退して筆記先端部３ａを没入させるものであれば、図示例以外の構造であっても良い。
【００５７】
更に、上記実施例では、ノック体２と一緒に往復動するノックキャップ１０の外周面に第一の圧接手段５を、軸筒１側であるクリップ止め９の内面９ａへ向けて突出形成したが、本発明は、これに限定されず、図示せぬがノック体２やそれと一緒に往復動するノックキャップ１０以外の連動部品に第一の圧接手段５を軸筒１側へ向けて突出形成したり、軸筒１又はその内側に固定配置される例えばクリップ止め９などのインナー部品からなる軸筒１側に第一の圧接手段５を、ノック体２又はそれと一緒に往復動する例えばノックキャップ１０などの連動部品からなるノック体２側へ向け突出形成して相互に摺接させたり、或いは、これら軸筒１側及びノック体２側の両方から突出形成して相互に摺接させても良い。
これと同様に、回転子７の外周面に第二の圧接手段８を、ノック体２の中心孔２ｃへ向けて突出形成したが、これに限定されず、図示せぬがノック体２の中心孔２ｃ側に第二の圧接手段８を回転子７の外周面へ向けて突出形成したり、これら回転子７側及びノック体２側の両方から突出形成して相互に摺接させても良い。
【００５８】
また図示例では、本発明のノック式筆記具Ａがインクタンク３としてリフィールを組み込んだノック式ボールペンである場合を示したが、これに限定されず、リフィール以外に例えば特開平１０−１６６７８１号公報に開示されるような、インクタンク３内のインクを毛細管力（インク吸引力）によって筆記先端部に供給されるインク誘導構造を具備したものやサインペンなど、バックショックに起因して筆記掠れや不書きの恐れがあれば、どれでも良い。
【図面の簡単な説明】
【００５９】
【図１】本発明のノック式筆記具の実施例１を示す一部切欠半断面図であり、（ａ）が筆記先端部の没入状態を示し、（ｂ）が筆記先端部の突出状態を示している。
【図２】要部の分解斜視図である。
【図３】図１（ａ）の（３）−（３）線に沿える拡大横断平面図である。
【図４】図１（ａ）の（４）−（４）線に沿える拡大横断平面図である。
【図５】本発明のノック式筆記具の実施例２を示す一部切欠半断面図であり、（ａ）が筆記先端部の没入状態を示し、（ｂ）が筆記先端部の突出状態を示している。
【図６】要部の分解斜視図である。
【符号の説明】
【００６０】
１  軸筒                              １ａ  先端開口
２  ノック体                          ３  インクタンク
３ａ  筆記先端部                      ５  第一の圧接手段
５ｃ  第一の屈曲手段                  ６  中駒
７  回転子                            ８  第二の圧接手段
８ｃ  第二の屈曲手段
【図１】
0004805952.tif 000002
【図２】
0004805952.tif 000003
【図３】
0004805952.tif 000004
【図４】
0004805952.tif 000005
【図５】
0004805952.tif 000006
【図６】
0004805952.tif 000007